(57)【要約】【課題】携帯機器からの操作によって、サービスに十分な画質の画像を利用できるようにする。【解決手段】カメラで撮影された関連画像から作成され、前記関連画像を撮影および記録したカメラを示すＩＤが埋め込まれている縮小画像を受信する通信装置であって、前記縮小画像に埋め込まれているＩＤを持つカメラを第１の通信手段を用いて探索する探索手段と、画像や情報を表示部に表示する表示制御手段とを有し、１台または複数のカメラで撮影された前記関連画像から作成された前記縮小画像の一覧を表示する際に、前記表示制御手段は、前記探索手段による探索において、該ＩＤを持つカメラが検出できた縮小画像と、検出できなかった縮小画像とは、ユーザによる区別が可能な態様で表示する。【選択図】図８
2017055366.tif 000002
【特許請求の範囲】
【請求項１】
カメラで撮影された関連画像から作成され、前記関連画像を撮影および記録したカメラを示すＩＤが埋め込まれている縮小画像を受信する通信装置であって、
前記縮小画像に埋め込まれているＩＤを持つカメラを第１の通信手段を用いて探索する探索手段と、
画像や情報を表示部に表示する表示制御手段とを有し、
１台または複数のカメラで撮影された前記関連画像から作成された前記縮小画像の一覧を表示する際に、
前記表示制御手段は、前記探索手段による探索において、該ＩＤを持つカメラが検出できた縮小画像と、検出できなかった縮小画像とは、ユーザによる区別が可能な態様で表示することを特徴とする通信装置。
【請求項２】
前記探索手段は、前記第１の通信手段によりカメラを示す前記ＩＤの情報を含む信号を受信できた際に、該信号に含まれるＩＤを検出することによって、該ＩＤを持つカメラの存在および該カメラが通信可能な状態にあることを確認することを特徴とする請求項１に記載の通信装置。
【請求項３】
前記探索手段により前記縮小画像に埋め込まれているＩＤの検出ができた場合、
前記表示制御手段は、該縮小画像を表示する時に、該関連画像の使用が可能であることを示す表示を同時に行うことを特徴とする請求項１または２に記載の通信装置。
【請求項４】
前記探索手段により前記縮小画像に埋め込まれているＩＤの検出ができなかった場合、
前記表示制御手段は、該縮小画像を表示する時に、該関連画像の使用が不可であることを示す表示を同時に行うことを特徴とする請求項１または２に記載の通信装置。
【請求項５】
前記探索手段により前記縮小画像に含まれるＩＤを持つカメラが検出できた場合、該カメラで保存されている関連画像のファイルリストを取得する取得手段と、
前記取得手段により取得したファイルリストと、通信装置が保存している縮小画像とを照合する照合手段とを有し、
前記照合手段による照合の結果、該カメラにおいて削除された関連画像がある場合、
前記表示制御手段は、該縮小画像に対応する関連画像が存在しないことを表示することを特徴とする請求項１乃至４の何れか１項に記載の通信装置。
【請求項６】
ユーザにより前記縮小画像の一覧から任意の縮小画像を指定され、該画像を使用した動作を指示された場合、
前記表示制御手段は、該縮小画像を用いた動作となるか、該縮小画像に対応する関連画像を用いた動作となるか、該縮小画像に対応する関連画像が保存されているカメラの探索をすることが可能な状態にすることによって該関連画像を用いた動作となるかがユーザによる判別が可能な態様で表示を行うことを特徴とする請求項５に記載の通信装置。
【請求項７】
前記第１の通信手段よりも高速な通信が可能な第２の通信手段を有し、
前記ユーザによる画像を利用した動作の指示が行われたときに、前記探索手段または前記照合手段によって該縮小画像に対応する関連画像が使用可能である場合は、該縮小画像に埋め込まれているＩＤを持つカメラに対して、関連画像の送信を要求するとともに、前記第２の通信手段によって関連画像の受信を行うことを特徴とする請求項５または６に記載の通信装置。
【請求項８】
カメラで撮影された関連画像から作成され、前記関連画像を撮影および記録したカメラを示すＩＤが埋め込まれている縮小画像を受信する通信装置の制御方法であって、
前記縮小画像に埋め込まれているＩＤを持つカメラを第１の通信手段を用いて探索する探索工程と、
画像や情報を表示部に表示する表示制御工程とを有し、
１台または複数のカメラで撮影された前記関連画像から作成された前記縮小画像の一覧を表示する際に、
前記表示制御工程は、前記探索工程による探索において、該ＩＤを持つカメラが検出できた縮小画像と、検出できなかった縮小画像とは、ユーザによる区別が可能な態様で表示することを特徴とする通信装置の制御方法。
【請求項９】
コンピュータを、請求項１乃至７の何れか１項に記載の通信装置の各手段として機能させるための、コンピュータが読み取り可能なプログラム。
【発明の詳細な説明】
【技術分野】
【０００１】
本発明は通信装置、通信装置の制御方法、プログラムに関し、特に、外部装置と通信することができる通信装置に関する。
【背景技術】
【０００２】
デジタルカメラで撮影された画像は、紙にプリントして観賞したり、ＰＣに取り込んで閲覧したりする従来のユースケースがある。また、近年ではスマートフォンの普及に伴い、スマートフォンに撮影画像を取り込んで閲覧したり、スマートフォンからネットワーク上の画像共有サイトやＳＮＳなどにアップロードして、複数のユーザ間で撮影画像を共有するユースケースが増えている。
【０００３】
また、特許文献１に開示されているように、スマートフォンで利用できる画像をスマートフォンからネットワークを介してプリントするユースケースもある。これらのユースケースでは、デジタルカメラで撮影した画像データを使用したい場合、該画像データを一旦スマートフォンに取り込む必要がある。
【先行技術文献】
【特許文献】
【０００４】
【特許文献１】特開２００２−２６８９５号公報
【発明の概要】
【発明が解決しようとする課題】
【０００５】
しかしながら、スマートフォンはＰＣに比べて記憶容量が少ない場合が多い。そのため、取り込む画像の解像度やサイズを小さくして、記憶容量を節約する場合がある。このような場合、特許文献１のような利用シーンで画質が十分でなくなってしまう虞がある。
本発明は前述の問題点に鑑み、携帯機器からの操作によって、サービスに十分な画質の画像を利用できるようにすることを目的とする。
【課題を解決するための手段】
【０００６】
本発明の通信装置は、カメラで撮影された関連画像から作成され、前記関連画像を撮影および記録したカメラを示すＩＤが埋め込まれている縮小画像を受信する通信装置であって、前記縮小画像に埋め込まれているＩＤを持つカメラを第１の通信手段を用いて探索する探索手段と、画像や情報を表示部に表示する表示制御手段とを有し、１台または複数のカメラで撮影された前記関連画像から作成された前記縮小画像の一覧を表示する際に、前記表示制御手段は、前記探索手段による探索において、該ＩＤを持つカメラが検出できた縮小画像と、検出できなかった縮小画像とは、ユーザによる区別が可能な態様で表示することを特徴とする。
【発明の効果】
【０００７】
本発明によれば、携帯機器からの操作によって、サービスに十分な画質の画像を利用することができる。
【図面の簡単な説明】
【０００８】
【図１】第１の実施形態乃至第３の実施形態のデジタルカメラの構成を示すブロック図である。
【図２】第１の実施形態乃至第３の実施形態の携帯端末の構成を示すブロック図である。
【図３】第１の実施形態乃至第３の実施形態のカメラの、撮影時の携帯端末との連係動作を示すシーケンスチャートである。
【図４】第１の実施形態乃至第３の実施形態の、撮影画像の例を示す図である。
【図５】第１の実施形態の携帯端末とカメラによる探索動作を示すシーケンスチャートである。
【図６】第１の実施形態の携帯端末における画像一覧表示の例を示す図である。
【図７】第１の実施形態乃至第３の実施形態の、携帯端末から画像の利用を実行する際のカメラとの連係動作を示すシーケンスチャートである。
【図８】第１の実施形態の携帯端末における画像一覧表示の動作を示すフローチャートである。
【図９】第１の実施形態乃至第３の実施形態の、携帯端末から画像の利用を実行する際の携帯端末の動作を示すフローチャートである。
【図１０】第１の実施形態のカメラの動作を示すフローチャートである。
【図１１】第２の実施形態の携帯端末とカメラによる探索動作を示すシーケンスチャートである。
【図１２】第２の実施形態におけるファイルリストの例を示す図である。
【図１３】第２の実施形態の携帯端末における画像一覧表示の例を示す図である。
【図１４】第２の実施形態乃至第３の実施形態の携帯端末における画像一覧表示の動作を示すフローチャートである。
【図１５】第２の実施形態乃至第３の実施形態のカメラの動作を示すフローチャートである。
【図１６】第３の実施形態におけるファイルリストの例を示す図である。
【図１７】第３の実施形態の携帯端末における画像一覧表示の例を示す図である。
【発明を実施するための形態】
【０００９】
＜第１の実施形態＞
本発明をデジタルカメラおよび本発明が適用される通信装置の一例としての携帯端末にて実施した第１の実施形態について、図面を用いて説明する。
図１は、本実施形態のデジタルカメラの構成例を示すブロック図である。
図１において、撮影レンズ１０１は、被写体像をとらえ、絞り１０２によって光量を所定量に制限した後、撮像素子１０３上に被写体像を結像させる。
【００１０】
撮像素子１０３上に結像した被写体像は、Ａ／Ｄコンバータ１０４でデジタル化され、画像処理部１０５でガンマ補正やホワイトバランス補正、ノイズリダクション処理等が行われる。その後、データバス１０６に非圧縮画像データおよび画像表示用のデータとして出力され、作業メモリ（ＤＲＡＭ）１１１に格納される。
【００１１】
液晶パネル１０９は、画像や各種情報を表示する表示部である。液晶ドライバ１１０が、作業メモリ（ＤＲＡＭ）１１１に格納されている画像表示用のデータを液晶表示信号に変換して液晶パネル１０９に逐次転送して表示することで、電子ビューファインダとして機能し、画像表示を行うことができる。
【００１２】
画像サイズ変換回路１０７は、本体に設定されている静止画解像度設定に応じて、作業メモリ（ＤＲＡＭ）１１１に格納されている非圧縮画像データの画像サイズを変換する。たとえば、設定が「Ｍサイズ」「アスペクト４：３」の場合、「Ｌサイズ」「アスペクト３：２」の前記非圧縮画像データ（３８８８ｘ２５９２画素）から２５９２ｘ１９４４画素に変換を行い、再び作業メモリ（ＤＲＡＭ）１１１に格納する。
また、設定が「Ｌ」「アスペクト３：２」の場合は、本回路は変換を行わない。また、後述の携帯端末における閲覧用の縮小画像（６４０ｘ４８０画素）の作成も本回路で行われる。
【００１３】
符号化回路１０８は、格納されている非圧縮画像データをＪＰＥＧ静止画およびＲＡＷ静止画として圧縮符号化し、符号化データを生成し、再び作業メモリ（ＤＲＡＭ）１１１に格納する。
記録媒体１１２は、デジタルカメラ本体に対して着脱が可能な、ＮＡＮＤ型フラッシュメモリおよびフラッシュコントローラで構成されているメモリカードである。本実施形態では、ＦＡＴ（Ｆｉｌｅ  Ａｌｌｏｃａｔｉｏｎ  Ｔａｂｌｅ）ファイルシステムでフォーマットされている。
【００１４】
前述の符号化データは、該フォーマットに則り、ファイル化されて記録媒体１１２に記録される。
Ｗｉ−Ｆｉ送受信部１１４は、Ｗｉ−Ｆｉアンテナ１１３を通じて、後述する携帯端末との通信を行い、画像データや制御信号などを送受信する。Ｂｌｕｅｔｏｏｔｈ（登録商標）送受信部１１６は、Ｂｌｕｅｔｏｏｔｈアンテナ１１５を通じて、後述する携帯端末との小容量の通信を行い、制御信号などを送受信する。また、デジタルカメラ本体が動作を休止し、消費電力を抑えるスリープ状態であっても本ブロックは動作が可能である。
【００１５】
操作回路１１７は、ユーザが行う不図示の操作キーなどを通じた操作を受け付ける回路であり、静止画の撮影を指示するレリーズキー、撮影モードや再生モードなどのデジタルカメラのモードを設定するモードスイッチ、および各種設定項目の設定キーを含む。
制御回路（ＣＰＵ）１１８は、後述のＲＯＭ１１９に格納されているプログラムを実行する。ここでいうプログラムとは、本実施形態にて後述する各種シーケンスを実行するためのプログラムのことであり、後述する本実施形態の各処理を実現する。また、液晶ドライバ１１０等を制御することにより表示制御も行う。ＲＯＭ１１９は、電気的に消去・記録可能な不揮発性メモリであって、前述のプログラム、本体の設定内容等が格納される。
【００１６】
図２は、本実施形態の携帯端末の構成例を示すブロック図である。
携帯端末において、液晶パネル２０１は、画像や各種情報を表示する表示部である。液晶ドライバ２０２は、作業メモリ（ＤＲＡＭ）２０３に格納されている画像表示用のデータを液晶表示信号に変換して液晶パネル２０１に供給する。
【００１７】
作業メモリ（ＤＲＡＭ）２０３は、デジタルカメラから受信した画像データを展開するための作業メモリ空間の提供も行うとともに、液晶パネル２０１で表示を行うためのビデオメモリとしての空間も提供する。
タッチパネル２０４は、液晶パネル２０１と一体に実装されるタッチパネルである。液晶パネル２０１に表示されるソフトウエアスイッチの位置でユーザのタッチ操作をタッチパネルドライバ２０５が検知することでユーザからの各種操作を受け付けるスイッチの役目を果たす。
【００１８】
記録媒体２０６は、受信したＪＰＥＧ静止画またはＲＡＷ静止画を保存用に記録する。第２の通信部として設けられているＷｉ−Ｆｉ送受信部２０８は、Ｗｉ−Ｆｉアンテナ２０７を通じて、前述のデジタルカメラとの間でＷｉ−Ｆｉ（ＩＥＥＥ８０２．１１ｇ）規格に則る通信を行い、画像データや制御信号などを送受信する。また、第１の通信部として設けられているＢｌｕｅｔｏｏｔｈ送受信部２１０は、Ｂｌｕｅｔｏｏｔｈアンテナ２０９を通じて、デジタルカメラとの間でＢｌｕｅｔｏｏｔｈ（Ｂｌｕｅｔｏｏｔｈ４．０）に則る小容量の通信を行い、制御信号などを送受信する。Ｗｉ−Ｆｉ送受信部２０８は、Ｂｌｕｅｔｏｏｔｈ送受信部２１０よりも高速な通信が可能である。
【００１９】
ＲＯＭ２１２は、電気的に消去・記録可能な不揮発性メモリであって、制御回路（ＣＰＵ）２１１のＯＳ、プログラム等が格納される。ここでいう、プログラムとは、本実施形態にて後述する各種シーケンスを実行するためのプログラムのことであり、後述する本実施形態の各処理を実現する。また、制御回路（ＣＰＵ）２１１は液晶ドライバ２０２等を制御することにより表示制御も行う。
【００２０】
本実施形態では、デジタルカメラが３台、携帯端末が１台による動作の例を説明する。なお３台のデジタルカメラ（以下、カメラと称する）にはそれぞれ識別用のカメラ名（ＩＤ）として、ＣＡＭ＿００１、ＣＡＭ＿００２、ＣＡＭ＿００３が設定されている。
【００２１】
図３は、本実施形態におけるカメラ撮影時のシーケンスチャート、また図４は、３台のカメラで撮影され、携帯端末に送信された画像の例を示す図である。なお、図３のシーケンスチャートにおける通信は、Ｗｉ−Ｆｉによる通信となる。
Ｓ３０１にて、カメラ１（ＣＡＭ＿００１）によって撮影が実行される。
Ｓ３０２にて、カメラ１内の記録媒体１１２に撮影画像をＪＰＥＧ化したファイル“ＩＭＧＡ０００１．ＪＰＧ”、および撮影画像のＲＡＷファイルである“ＩＭＧＡ０００１．ＣＲ２”が記録される。
【００２２】
次に、Ｓ３０３にて、撮影した画像を６４０ｘ４８０画素に縮小した縮小画像を携帯端末に送信する。この画像は、図４の４０１であり、Ｓ３０３における送信時は、縮小画像に関連付ける情報として、カメラ１に保存されている撮影画像（本画像）の画像番号（ＪＰＥＧファイル名）として“ＩＭＧＡ０００１”という情報が送信される。また、この撮影画像の保存場所を示す本体情報として“ＣＡＭ＿００１”、ＪＰＥＧ画像と同時にＲＡＷ画像も保存されているので、そのファイル名“ＩＭＧＡ０００１．ＣＲ２”、撮影画像の画像解像度“３８８８ｘ２５９２”という情報が送信される。
【００２３】
さらに、Ｓ３０４にて、カメラ１によって撮影が実行されると、Ｓ３０５にて、カメラ１内の記録媒体１１２に撮影画像をＪＰＥＧ化したファイル“ＩＭＧＡ０００２．ＪＰＧ”および撮影画像のＲＡＷファイルである“ＩＭＧＡ０００２．ＣＲ２”が記録される。
Ｓ３０６にて、撮影した画像を６４０ｘ４８０画素に縮小した縮小画像を携帯端末に送信する。この画像は、図４の４０２であり、Ｓ３０６における送信時は、縮小画像に関連付ける情報として、カメラ１に保存されている撮影画像（本画像）の画像番号（ＪＰＥＧファイル名）として“ＩＭＧＡ０００２”という情報が送信される。また、この撮影画像の保存場所を示す本体情報として“ＣＡＭ＿００１”、ＪＰＥＧ画像と同時にＲＡＷ画像も保存されているので、そのファイル名“ＩＭＧＡ０００２．ＣＲ２”、撮影画像の画像解像度“３８８８ｘ２５９２”という情報が送信される。
【００２４】
Ｓ３０７にて、カメラ３（ＣＡＭ＿００３）によって撮影が実行される。次に、Ｓ３０８にて、カメラ３内の記録媒体１１２に撮影画像をＪＰＥＧ化したファイル“ＩＭＧＣ０００１．ＪＰＧ”および撮影画像のＲＡＷファイルである“ＩＭＧＣ０００１．ＣＲ２”が記録される。
Ｓ３０９にて、撮影した関連画像を６４０ｘ４８０画素に縮小した縮小画像を携帯端末に送信する。この画像は、図４の４０３であり、Ｓ３０９における送信時は、縮小画像に関連付ける情報として、カメラ３に保存されている撮影画像（本画像）の画像番号（ＪＰＥＧファイル名）として“ＩＭＧＣ０００１”という情報が送信される。また、この撮影画像の保存場所を示す本体情報として“ＣＡＭ＿００３”、ＪＰＥＧ画像と同時にＲＡＷ画像も保存されているので、そのファイル名“ＩＭＧＣ０００１．ＣＲ２”、撮影画像の画像解像度“２５９２ｘ１９４４”という情報が送信される。
【００２５】
Ｓ３１０にて、カメラ２（ＣＡＭ＿００２）によって撮影が実行される。次に、Ｓ３１１にて、カメラ２内の記録媒体１１２に撮影画像をＪＰＥＧ化したファイル“ＩＭＧＢ０００１．ＪＰＧ”および撮影画像のＲＡＷファイルである“ＩＭＧＢ０００１．ＣＲ２”が記録される。
次に、Ｓ３１２にて、撮影した画像を６４０ｘ４８０画素に縮小した縮小画像を携帯端末に送信する。この画像は、図４の４０４であり、Ｓ３１２における送信時は、縮小画像に関連付ける情報として、カメラ２に保存されている撮影画像（本画像）の画像番号（ＪＰＥＧファイル名）として“ＩＭＧＢ０００１”という情報が送信される。また、撮影画像が保存されている場所を示す本体情報として“ＣＡＭ＿００２”、ＪＰＥＧ画像と同時にＲＡＷ画像も保存されているので、そのファイル名“ＩＭＧＢ０００１．ＣＲ２”、撮影画像の画像解像度“３８８８ｘ２５９２” という情報が送信される。
本実施形態では、この動作の繰り返しにより、図４に示すように、３つのカメラによって８枚の静止画が撮影され、その縮小画像（以下、サムネイル）が携帯端末に転送されているものとする。
【００２６】
以下、携帯端末において、撮影された静止画の一覧を表示する動作について説明する。なお、本実施形態では、カメラ２の電源が切れているか、カメラ２が通信端末との通信範囲内に存在しないという場合を説明する。
図５において、Ｓ５０１にてユーザによる携帯端末の操作によって、携帯端末において撮影画像の一覧画面の表示を指示されると、携帯端末によってカメラ１乃至カメラ３が通信可能な状態にあるかどうかが探索される。なお、この探索は、Ｂｌｕｅｔｏｏｔｈ  Ｌｏｗ  Ｅｎｅｒｇｙによる通信によって行われる。なお、本実施形態においては、カメラは一つの接続をサポートする「ペリフェラル」、携帯端末は複数のペリフェラルとの接続を行い、該接続を管理する「セントラル」として動作を行う。
【００２７】
図５は、前述の探索動作を示すシーケンスチャートである。
図５において、Ｓ５００ａ乃至Ｓ５００ｆは、カメラ１が送出するアドバタイズパケットである。アドバタイズは、ペリフェラルからセントラルに対する接続要求であり、一定の時間間隔でペリフェラルからキャラクタリスティックと呼ばれる情報がアドバタイズパケットに載せて送出される。
【００２８】
キャラクタリスティックには、送出元を示す機器名「ＣＡＭ＿００１」が含まれる。なお、Ｂｌｕｅｔｏｏｔｈ送受信部１１６は、カメラ本体の電源がＯＮ状態・ＯＦＦ状態にかかわらず、カメラを駆動するメインバッテリーから電源供給を受ける構成となっている。この構成によって、カメラからのアドバタイズパケットの送出は本体の電源がＯＮ状態・ＯＦＦ状態にかかわらず行われる。また、Ｓ５００ｇ乃至Ｓ５００ｌは、カメラ３が送出するアドバタイズパケットであって、キャラクタリスティックには、送信元を示す機器名「ＣＡＭ＿００３」が含まれる。
【００２９】
Ｓ５０１にて、ユーザが携帯端末上で画像ビューアソフトを一覧表示モードで起動すると、Ｓ５０２にて、携帯端末のＢｌｕｅｔｏｏｔｈ送受信部２１０による、スキャン動作が開始される。
その後、Ｓ５０３にて、ＣＡＭ＿００１からのアドバタイズパケットが受信され、Ｓ５０４にてＣＡＭ＿００３からのアドバタイズパケットが受信される。これにより、カメラ１およびカメラ３は、無線通信が可能な範囲に存在していることが携帯端末において確認される。
【００３０】
図６は、携帯端末での画像ビューアの一覧表示の例である。
図６において、６０１はＩＭＧＡ０００１．ＣＲ２（図４の４０１）のサムネイル画像、６０２はＩＭＧＡ０００２．ＣＲ２（図４の４０２）のサムネイル画像、６０３はＩＭＧＣ０００１．ＣＲ２（図４の４０３）のサムネイル画像である。
６０４はＩＭＧＢ０００１．ＣＲ２（図４の４０４）のサムネイル画像、６０５はＩＭＧＢ０００２．ＣＲ２（図４の４０５）のサムネイル画像、６０６はＩＭＧＡ０００３．ＣＲ２（図４の４０６）のサムネイル画像である。
６０７はＩＭＧＡ０００４．ＣＲ２（図４の４０７）のサムネイル画像、６０８はＩＭＧＣ０００２．ＣＲ２（図４の４０８）のサムネイル画像である。
【００３１】
しかしながら、探索によってカメラ２と通信ができない状態であることが確認されている。すなわち、サムネイル６０４の元画像であるＩＭＧＢ０００１．ＣＲ２およびサムネイル６０５の元画像であるＩＭＧＢ０００２．ＣＲ２を携帯端末から取得することは不可能である。その状況をユーザに通知するため、該サムネイルには使用不可を示すアイコン６０９および６１０を重畳して、ユーザによる区別が可能な態様で表示される。
【００３２】
図８は、図５のシーケンスチャートにおける携帯端末の動作を示すフローチャートである。図８のフローチャートに示す各動作（ステップ）は、制御回路（ＣＰＵ）２１１がＲＯＭ２１２に記憶された制御プログラムを作業メモリ（ＤＲＡＭ）２０３に展開して実行することにより実現する。
Ｓ８０１にて携帯端末が動作開始し、Ｓ８０２にて、ユーザが携帯端末上で画像ビューアソフトを一覧表示モードで起動する（図５のシーケンスチャートにおけるＳ５０１）。
Ｓ８０３にて、アドバタイズパケットのスキャンを開始し、該スキャンのタイムアウトを管理するためのスキャンタイマーがスタートする。
【００３３】
次に、Ｓ８０４にて、Ｂｌｕｅｔｏｏｔｈのチャンネルを１に設定する。
Ｓ８０５にて、チャンネルにおいてアドバタイズパケットが受信できたか否かを制御回路（ＣＰＵ）２１１が判定し、受信が成功していればＳ８０６にて、アドバタイズパケットに含まれているＩＤ信号を検出し、検出された番号のリストを作成する。
Ｓ８０７にて、Ｂｌｕｅｔｏｏｔｈのチャンネルが最終チャンネルに達したかどうかを制御回路（ＣＰＵ）２１１が検出し、達していなければ、Ｓ８０８にてチャンネル番号を１つ進めてからＳ８０５の処理に戻る。
【００３４】
こうしてすべてのチャンネルについてアドバタイズパケットの受信が試行されると、Ｓ８０９にて、スキャンタイマーが１０秒以上経過したかどうかを制御回路（ＣＰＵ）２１１が検出する。検出しなければ再度Ｓ８０４の処理に戻り、検出すれば、スキャンを終了する。すなわち、スキャン動作は、１０秒間、Ｂｌｕｅｔｏｏｔｈのチャンネルすべてを繰り返しアドバタイズパケットの受信が試行される形で行われる（ここまで、図５のシーケンスチャートにおけるＳ５０２乃至Ｓ５０４）。
【００３５】
Ｓ８１０にて、作成したＩＤリストを参照する。本実施形態では「ＣＡＭ＿００１」および「ＣＡＭ＿００３」の情報を含むアドバタイズパケットが受信できたことがわかる。
Ｓ８１１にて、図６に示すサムネイル一覧を表示し、Ｓ８１２にて、使用不可を示すアイコン６０９および６１０を重畳して表示する表示制御を行う。
【００３６】
ユーザが、ファイルＩＭＧＡ０００１．ＣＲ２の画像を印刷するためにサムネイル６０１をタッチすると、図７に示すシーケンスチャートの動作が開始される。
図７において、Ｓ７００ａ乃至Ｓ７００ｆは、カメラ１が送出するアドバタイズパケットである。Ｓ７００ｇ乃至Ｓ７００ｏは、カメラ３が送出するアドバタイズパケットである。ファイルＩＭＧＡ０００１．ＣＲ２はＣＡＭ＿００１に保存されていることが分かっている。このため、Ｓ７０１にて、ユーザが画像を選択、印刷指示を行った後に携帯端末は、Ｓ７０２にて、カメラ１が送信しているアドバタイズパケットを受信し、Ｓ７０３にて、カメラ１に対してレスポンス信号を送信する。
【００３７】
なお、本実施形態の構成においては、カメラ１が送信するアドバタイズパケットとしては、「ＣＡＭ＿００１」のキャラクタリスティックを含まない任意のアドバタイズパケットを使用することが可能である。これは、携帯端末側で目的のファイルの保存元がわかっているからである。レスポンス信号には、カメラ本体の電源をＯＮにすることを指示するキャラクタリスティックが含まれており、Ｓ７０４にて、カメラ１の電源がＯＮになると、Ｓ７０５にて、カメラから電源ＯＮの処理が完了したことを示す起動完了通知が送信されてくる。
【００３８】
次に、Ｓ７０６にて、カメラ１に対してさらにレスポンス信号を送信する。該レスポンス信号には、Ｗｉ−Ｆｉ接続に切り替えることを指示するキャラクタリスティックが含まれており、Ｓ７０７にて、携帯端末とカメラ１の間でＷｉ−Ｆｉによる接続が行われる。なお、本実施形態でのＷｉ−Ｆｉ接続は、アクセスポイントを必要としないＷｉ−Ｆｉダイレクトによる接続が用いられ、以後の通信はＷｉ−Ｆｉによって行われる。接続が完了すると、Ｓ７０８にて、携帯端末からカメラ１に対して、画像ファイルＩＭＧＡ０００１．ＣＲ２の送信を要求するコマンドを送信する。
【００３９】
Ｓ７０９にて、カメラ１は携帯端末に対して画像ファイルＩＭＧＡ０００１．ＣＲ２を送信してくる。
Ｓ７１０にて、携帯端末とのＷｉ−Ｆｉダイレクトでの接続先がプリンタに変更される。
Ｓ７１１にて、携帯端末でＩＭＧＡ０００１．ＣＲ２を現像処理し、プリンタによる印刷が可能なデータ形式に変換した現像済み画像をプリンタに送信し、プリンタにおいて印刷が実行される。
【００４０】
図９は、図７のシーケンスチャートにおける携帯端末の動作を示すフローチャートである。図９のフローチャートに示す各動作（ステップ）は、制御回路（ＣＰＵ）２１１がＲＯＭ２１２に記憶された制御プログラムを作業メモリ（ＤＲＡＭ）２０３に展開して実行することにより実現する。
Ｓ９０１にて携帯端末が動作開始し、Ｓ９０２にて、ユーザが携帯端末上でファイルＩＭＧＡ０００１．ＣＲ２の画像を印刷するためにサムネイル６０１をタッチする（図７のシーケンスチャートにおけるＳ７０１）印刷指示操作を行う。Ｓ９０３にて、アドバタイズパケットのスキャンを開始する。
【００４１】
次に、Ｓ９０４にて、Ｂｌｕｅｔｏｏｔｈのチャンネルを１に設定する。
Ｓ９０５にて、チャンネルにおいてアドバタイズパケットが受信できたかどうかを制御回路（ＣＰＵ）２１１が判定する。受信が成功していればＳ９０６にて、アドバタイズパケットに含まれているＩＤ信号を検出し、Ｓ９０７にて、該検出されたＩＤがファイルＩＭＧＡ０００１．ＣＲ２の保存元である「ＣＡＭ＿００１」と一致しているか否かを制御回路（ＣＰＵ）２１１が検出する。一致していなければ、Ｓ９０８にてチャンネル番号を１つ進めてからＳ９０５の処理に戻る。
【００４２】
Ｓ９０７にてＩＤの一致を検出すると（ここまで、図７のシーケンスチャートにおけるＳ７０２）Ｓ９０９に進む。
Ｓ９０９にて、カメラ本体の電源をＯＮにすることを指示するキャラクタリスティックが含まれるレスポンスをカメラ１に対して送信する（図７のシーケンスチャートにおけるＳ７０３）。
さらに、Ｓ９１０にて、Ｗｉ−Ｆｉ接続に切り替えることを指示するキャラクタリスティックが含まれるレスポンスをカメラ１に対して送信する（図７のシーケンスチャートにおけるＳ７０６）。
【００４３】
Ｓ９１１にてカメラとのＷｉ−Ｆｉ接続が確立すると（図７のシーケンスチャートにおけるＳ７０７）、Ｓ９１２に進む。
Ｓ９１２にて、ファイルＩＭＧＡ０００１．ＣＲ２を送信することを指示するコマンドをカメラ１に対して送信し（図７のシーケンスチャートにおけるＳ７０８）、Ｓ９１３にて、該ファイルＩＭＧＡ０００１．ＣＲ２を受信する。
【００４４】
Ｓ９１４にて、カメラとのＷｉ−Ｆｉダイレクトでの接続先がプリンタに変更される（図７のシーケンスチャートにおけるＳ７１０）。
次に、Ｓ９１５にて、ＩＭＧＡ０００１．ＣＲ２を現像処理した上でプリンタによる印刷が可能なデータ形式に変換した現像済み画像をプリンタに送信し、プリンタにおいて印刷が実行される（図７のシーケンスチャートにおけるＳ７１１）。その後、Ｓ９１６にて処理を終了する。
【００４５】
図１０は、本実施形態の、図５および図７のシーケンスチャートにおけるカメラの動作を示すフローチャートである。図１０のフローチャートに示す各動作（ステップ）は、制御回路（ＣＰＵ）１１８がＲＯＭ１１９に記憶された制御プログラムを作業メモリ（ＤＲＡＭ）１１１に展開して実行することにより実現する。
図１０において、Ｓ１００１にて動作を開始する（カメラの本体電源はＯＦＦ状態）と、Ｓ１００２にてＢｌｕｅｔｏｏｔｈ送受信部１１６の動作を開始する。その後、Ｓ１００３にて、アドバタイズパケットの送信を開始する。その後、Ｓ１００４にて、送信したアドバタイズに対する携帯端末からのレスポンスを受信する。
【００４６】
Ｓ１００５にて、該レスポンスの受信が成功したかどうかを制御回路（ＣＰＵ）１１８が判定し、受信ができていなければ、Ｓ１００３の動作に戻る。なお、図５のシーケンスチャートの動作においては、携帯端末はカメラからのアドバタイズを受信してもレスポンスは送信しないので、カメラの動作としては、Ｓ１００３乃至Ｓ１００５の動作を繰り返すのみとなる。
【００４７】
レスポンスの受信が成功していると制御回路（ＣＰＵ）１１８が判定した場合には、Ｓ１００６にて、該レスポンスにカメラ本体の電源をＯＮにする指示が記されているかどうかを検出し、検出しなかった場合は、Ｓ１００３の処理に戻る。
検出した場合は（図７のシーケンスチャートにおけるＳ７０３）、カメラ本体の電源をＯＮにする（図７のシーケンスチャートにおけるＳ７０４）。そして、起動が完了した後に、Ｓ１００７にて、カメラから携帯端末に対して起動完了の通知を送信する（図７のシーケンスチャートにおけるＳ７０５）。
【００４８】
Ｓ１００８にて、再度レスポンスを受信する（図７のシーケンスチャートにおけるＳ７０６）。
１００９で該レスポンスの受信が成功したか否かを制御回路（ＣＰＵ）１１８が判定し、受信ができていなければ、Ｓ１００８の動作に戻る。レスポンスの受信が成功していると制御回路（ＣＰＵ）１１８が判定した場合には、Ｓ１０１０にて、該レスポンスにＷｉ−Ｆｉ接続に切り替える指示が記されているかどうかを制御回路（ＣＰＵ）１１８が検出する。検出すると、Ｓ１０１１にて、携帯端末とカメラ１の間でＷｉ−Ｆｉによる接続を開始する（図７のシーケンスチャートにおけるＳ７０７）。
Ｓ１０１２にて携帯端末からのコマンドを受信し（図７のシーケンスチャートにおけるＳ７０８）、該コマンドによって指定されている画像ファイルをＷｉ−Ｆｉによって送信する（図７のシーケンスチャートにおけるＳ７０９）。
【００４９】
本実施形態の構成によれば、携帯端末側でデジタルカメラの画像の一覧を表示する際に、元画像の保存元を確認するとともに、その場で保存元の機器と通信が可能かを確認し、元画像の使用可否を画像一覧に加えて表示する。このため、携帯端末側から元画像の利用を行う際に、ユーザが使用可否を把握しやすくなるという効果がある。
【００５０】
なお、本実施形態では、カメラから受信した画像ファイルを用いて携帯端末からプリンタに該画像を送信して印刷を行う構成となっている。これ以外にも、携帯端末から画像サーバに該画像を送信し、複数のユーザ間で画像共有を行ったり、また携帯端末から大画面テレビに該画像を送信し、大きい画面で画像を鑑賞したりするなど、他の機器で画像ファイルを利用する構成にも適用することができる。
【００５１】
＜第２の実施形態＞
本発明をデジタルカメラおよび本発明が適用される通信装置の一例としての携帯端末にて実施した第２の実施形態について、図面を用いて説明する。
本実施形態のデジタルカメラ（以下、カメラと称する）の構成例を示すブロック図、携帯端末の構成例を示すブロック図、カメラ撮影時のシーケンスチャート、携帯端末に送信された画像の例を示す図は、第１の実施形態に記載の図１乃至図４と同様である。本実施形態の携帯端末は、図３のＳ３０３、Ｓ３０６などに示す縮小画像の受信ごとに図１２（ａ）に示す形式のファイルリストを作成しており、図４に示す撮影情報とともに保存している。
【００５２】
以下、携帯端末において撮影された静止画の一覧を表示する動作について説明する。なお本実施形態では、カメラ２の電源が切れているか、通信端末との通信範囲内に存在しないという場合を説明する。
図１１において、Ｓ１１０１にて、ユーザによる携帯端末の操作によって、携帯端末において撮影画像の一覧画面の表示が指示されると、携帯端末はカメラ１乃至カメラ３が通信可能な状態にあるかどうかが探索される。なお、この探索は、Ｂｌｕｅｔｏｏｔｈ  Ｌｏｗ  Ｅｎｅｒｇｙによる通信によって行われる。なお、本実施形態においては、カメラは一つの接続をサポートする「ペリフェラル」、携帯端末は複数のペリフェラルとの接続を行い、該接続を管理する「セントラル」として動作を行う。
【００５３】
図１１は、携帯端末とカメラによる探索動作を示すシーケンスチャートである。
図１１において、Ｓ１１００ａ乃至Ｓ１１００ｆは、カメラ１が送出するアドバタイズパケットである。アドバタイズは、ペリフェラルからセントラルに対する接続要求であり、一定の時間間隔でペリフェラルからキャラクタリスティックと呼ばれる情報がアドバタイズパケットに載せて送出される。キャラクタリスティックには、送出元を示す機器名「ＣＡＭ＿００１」が含まれる。なお、Ｂｌｕｅｔｏｏｔｈ送受信部１１６は、カメラ本体の電源がＯＮ状態・ＯＦＦ状態にかかわらず、カメラを駆動するメインバッテリーから電源供給を受ける構成となっている。
【００５４】
この構成によって、カメラからのアドバタイズパケットの送出はカメラ本体の電源がＯＮ状態・ＯＦＦ状態にかかわらず行われる。また、Ｓ１１００ｇ乃至Ｓ１１００ｌは、カメラ３が送出するアドバタイズパケットであって、キャラクタリスティックには、送信元を示す機器名「ＣＡＭ＿００３」が含まれる。
【００５５】
Ｓ１１０１にて、ユーザが携帯端末上で画像ビューアソフトを一覧表示モードで起動すると、Ｓ１１０２にて、携帯端末のＢｌｕｅｔｏｏｔｈ送受信部２１０による、スキャン動作が開始される。
その後、Ｓ１１０３にてＣＡＭ＿００１からのアドバタイズパケットが受信されると、Ｓ１１０４にてアドバタイズパケットを送信しているカメラ１に対してレスポンス信号を送信する。レスポンス信号には、カメラ１からのファイルリストの送信を要求するキャラクタリスティックが含まれており、Ｓ１１０５にて、カメラ１から送信されてくるファイルリストが受信される。
【００５６】
このファイルリストを図１２（ｂ）に示す。このファイルリストでは、図１２（ａ）の［ＣＡＭ＿００１］におけるリストと比較すると、ＩＭＧＡ０００３．ＣＲ２がなくなっていることがわかる。すなわち、画像の撮影後に、該ファイルが削除されており、図４の４０６の画像ファイルとしてはＩＭＧＡ０００３．ＪＰＧのみが使用可能な状態であることがわかる。
【００５７】
その後、Ｓ１１０６にて、ＣＡＭ＿００３からのアドバタイズパケットが受信されると、Ｓ１１０７にてアドバタイズパケットを送信しているカメラ３に対してレスポンス信号を送信する。レスポンス信号には、カメラ３からのファイルリストの送信を要求するキャラクタリスティックが含まれており、Ｓ１１０８にて、カメラ３から送信されてくるファイルリストが受信される。
【００５８】
このファイルリストを図１２（ｃ）に示す。このファイルリストでは、図１２（ａ）の［ＣＡＭ＿００３］におけるリストと比較すると、ＩＭＧＣ０００２．ＣＲ２およびＩＭＧＣ０００２．ＪＰＧがなくなっていることがわかる。すなわち、画像の撮影後に、該ファイルが削除されており、図４の４０８の画像ファイルは使用不可能な状態であることがわかる。
【００５９】
さらに、ＣＡＭ＿００２の情報を含むアドバタイズパケットは受信できていないことから、これによりカメラ２は無線通信が可能な範囲に存在していないことが携帯端末において確認される。すなわち図４の４０４および４０５の画像ファイルは使用不可能な状態であることがわかる。ここまでに判る情報は、以下の通りである。
図４における画像について、
（イ）４０１、４０２、４０３、４０７はＲＡＷ画像が使用可能、
（ロ）４０６はＪＰＥＧ画像のみ使用可能、
（ハ）４０４、４０５、４０８は画像が使用不可能
となる。
【００６０】
図１３は、携帯端末での画像ビューアの一覧表示の例を示す図である。
図１３において、１３０１はＩＭＧＡ０００１．ＣＲ２（図４の４０１）のサムネイル画像、１３０２はＩＭＧＡ０００２．ＣＲ２（図４の４０２）のサムネイル画像、１３０３はＩＭＧＣ０００１．ＣＲ２（図４の４０３）のサムネイル画像である。
１３０４はＩＭＧＢ０００１．ＣＲ２（図４の４０４）のサムネイル画像、１３０５はＩＭＧＢ０００２．ＣＲ２（図４の４０５）のサムネイル画像、１３０６はＩＭＧＡ０００３．ＣＲ２（図４の４０６）のサムネイル画像である。
１３０７はＩＭＧＡ０００４．ＣＲ２（図４の４０７）のサムネイル画像、１３０８はＩＭＧＣ０００２．ＣＲ２（図４の４０８）のサムネイル画像である。
【００６１】
しかし、探索によってカメラ２と通信ができない状態であることが確認されている。すなわち、サムネイル１３０４の元画像であるＩＭＧＢ０００１．ＣＲ２およびサムネイル１３０５の元画像であるＩＭＧＢ０００２．ＣＲ２を携帯端末から取得することは不可能である。その状況をユーザに通知するため、該サムネイルには使用不可を示すアイコン１３０９および１３１０を重畳して、ユーザによる区別が可能な態様で表示される。
【００６２】
サムネイル１３０６の元画像であるＩＭＧＡ０００３．ＣＲ２は、同じ内容で画質の劣化があるＩＭＧＡ０００３．ＪＰＧしか携帯端末から取得できないため、該サムネイルにはＲＡＷ画像の使用不可を示すアイコン１３１１が重畳して表示される。
また、サムネイル１３０８については、元画像であるＩＭＧＣ０００２．ＣＲ２および、同じ内容のＩＭＧＣ０００２．ＪＰＧ双方とも削除されているために携帯端末から取得できない。したがって、該サムネイルには画像が削除済みであることを示すアイコン１３１２が重畳して表示される。
【００６３】
図１４は、図１１のシーケンスチャートにおける携帯端末の動作を示すフローチャートである。図１４のフローチャートに示す各動作（ステップ）は、制御回路（ＣＰＵ）２１１がＲＯＭ２１２に記憶された制御プログラムを作業メモリ（ＤＲＡＭ）２０３に展開して実行することにより実現する。
Ｓ１４０１にて携帯端末が動作開始し、Ｓ１４０２にて、ユーザが携帯端末上で画像ビューアソフトを一覧表示モードで起動する（図１１のシーケンスチャートにおけるＳ１１０１）。
次に、Ｓ１４０３にてアドバタイズパケットのスキャンを開始し、該スキャンのタイムアウトを管理するためのスキャンタイマーがスタートする。
【００６４】
Ｓ１４０４にて、Ｂｌｕｅｔｏｏｔｈのチャンネルを１に設定する。
Ｓ１４０５にて、チャンネルにおいてアドバタイズパケットが受信できたか否かを制御回路（ＣＰＵ）２１１が判定し、受信が成功していればＳ１４０６にて、アドバタイズパケットに含まれているＩＤ信号を検出し、検出された番号のリストを作成する。
【００６５】
さらに、Ｓ１４０７にて、カメラに対して、ファイルリストを要求するレスポンスを送信する（図１１のシーケンスチャートにおけるＳ１１０４）。
Ｓ１４０８にて、カメラから送信される該ファイルリストを受信し取得する（図１１のシーケンスチャートにおけるＳ１１０５）。
その後、Ｓ１４０９にて、Ｂｌｕｅｔｏｏｔｈのチャンネルが最終チャンネルに達したか否かを制御回路（ＣＰＵ）２１１が検出し、達していなければ、Ｓ１４１０にてチャンネル番号を１つ進めてからＳ１４０５の処理に戻る。
【００６６】
こうして、すべてのチャンネルについてアドバタイズパケットの受信が試行されると、Ｓ１４１１にて、スキャンタイマーが１０秒以上経過したかどうかを制御回路（ＣＰＵ）２１１が検出する。検出されなければ再度Ｓ１４０４の処理に戻り、検出されれば、スキャンを終了する。すなわち、スキャン動作は、１０秒間、Ｂｌｕｅｔｏｏｔｈのチャンネルすべてを繰り返しアドバタイズパケットの受信が試行される形で行われる（ここまで、図１１のシーケンスチャートにおけるＳ１１０２乃至Ｓ１１０３）。
【００６７】
その後、Ｓ１４１２にて、作成したＩＤリストとカメラから受信したファイルリストを照合する。照合の結果、本実施形態では「ＣＡＭ＿００１」および「ＣＡＭ＿００３」の情報を含むアドバタイズパケットが受信できたこと、およびＩＭＧＡ０００３．ＣＲ２、ＩＭＧＣ０００２．ＣＲ２およびＩＭＧＣ０００２．ＪＰＧがなくなっていることがわかる。
【００６８】
Ｓ１４１３にて、図１３に示すサムネイル一覧を表示し、Ｓ１４１４にて、画像の使用可否を示すアイコン１３０９乃至１３１２を重畳して表示する。
その後、ユーザが、ファイルＩＭＧＡ０００１．ＣＲ２の画像を印刷するためにサムネイル１３０１をタッチした場合の動作は、第１の実施形態で説明した図７に示すシーケンスチャートの動作と同様である。
【００６９】
図１５は、本実施形態の、図１１のシーケンスチャートにおけるカメラの動作を示すフローチャートである。図１５のフローチャートに示す各動作（ステップ）は、制御回路（ＣＰＵ）１１８がＲＯＭ１１９に記憶された制御プログラムを作業メモリ（ＤＲＡＭ）１１１に展開して実行することにより実現する。
Ｓ１５０１にて動作を開始する（カメラの本体電源はＯＦＦ状態）と、Ｓ１５０２にてＢｌｕｅｔｏｏｔｈ送受信部１１６の動作が開始され、Ｓ１５０３にて、アドバタイズパケットの送信が開始される。
その後、Ｓ１５０４にて、送信したアドバタイズに対する携帯端末からのレスポンスを受信する（図１１のシーケンスチャートにおけるＳ１１０４または１１０７）。
【００７０】
Ｓ１５０５にて、該レスポンスの受信が成功したか否かを制御回路（ＣＰＵ）１１８が判定し、受信ができていなければ、Ｓ１５０３の動作に戻る。レスポンスの受信が成功していると制御回路（ＣＰＵ）１１８が判定した場合には、Ｓ１５０６にて、レスポンスにファイルリストの要求が含まれているか否かを制御回路（ＣＰＵ）１１８が検出する。検出された場合はＳ１５０７にて、携帯端末に対してファイルリストを送信し（図１１のシーケンスチャートにおけるＳ１１０５または１１０８）、Ｓ１５０３の処理に戻る。
【００７１】
ファイルリストの要求が含まれていない場合は、Ｓ１５０８にて、該レスポンスにカメラ本体の電源をＯＮにする指示が記されているか否かを制御回路（ＣＰＵ）１１８が検出し、検出されなかった場合は、Ｓ１５０３の処理に戻る。
Ｓ１５０９以降の動作は、第１の実施形態の図１０で説明したフローチャートの、Ｓ１００７以降の動作と同様である。
【００７２】
本実施形態の構成によれば、携帯端末側でデジタルカメラの画像の一覧を表示する際に、元画像の保存元を確認するとともに、その場で保存元の機器と通信が可能かの確認に加え、保存元から最新のファイルリストを取得する。これにより、元画像の使用可否および画像の削除情報を画像一覧に加えて表示するため、携帯端末側から元画像の利用を行う際に、ユーザが使用可否に加えて最高画質での画像利用の可否も把握しやすくなる、という効果がある。
【００７３】
なお、本実施形態においても第１の実施形態と同様に、カメラから受信した画像ファイルを用いて携帯端末からプリンタに該画像を送信して印刷を行う構成となっている。これ以外にも、携帯端末から画像サーバに該画像を送信し、複数のユーザ間で画像共有を行ったり、また携帯端末から大画面テレビに該画像を送信し、大きい画面で画像を鑑賞したりするなど、他の機器で画像ファイルを利用する構成にも適用することができる。
【００７４】
＜第３の実施形態＞
本発明をデジタルカメラおよび本発明が適用される通信装置の一例としての携帯端末にて実施した第３の実施形態について、図面を用いて説明する。
本実施形態のデジタルカメラ（以下、カメラと称する）の構成例を示すブロック図、携帯端末の構成例を示すブロック図、カメラ撮影時のシーケンスチャート、携帯端末に送信された画像の例を示す図は、第１の実施形態に記載の図１乃至図４と同様である。また、本実施形態の携帯端末によるカメラの探索は、第２の実施形態に記載の図１１のシーケンスチャートに示す動作と同様である。
【００７５】
図１１のシーケンスチャートにおいて、Ｓ１１０５にて、カメラ１から送信されてくるファイルリストを図１６（ａ）、Ｓ１１０８にて、カメラ３から送信されてくるファイルリストを図１６（ｂ）に示す。
これらのファイルリストを、図１２（ａ）の［ＣＡＭ＿００１］および［ＣＡＭ＿００３］のファイルリストと比較する。すると、ＩＭＧＡ０００３．ＣＲ２およびＩＭＧＡ０００３．ＪＰＧ、またＩＭＧＣ０００２．ＣＲ２およびＩＭＧＣ０００２．ＪＰＧがなくなっていることがわかる。
【００７６】
ここまでの動作で判る情報は、以下の通りである。
図４における画像について、
（１）４０６、４０８は携帯端末のサムネイル画像のみ使用可能、元画像は存在しない。
（２）４０１、４０２、４０３、４０７は携帯端末のサムネイル画像とＣＡＭ＿００１およびＣＡＭ＿００３にある元画像が使用可能。
（３）４０４、４０５は携帯端末のサムネイル画像のみ使用可能、元画像はＣＡＭ＿００２にある可能性あり、
である。
【００７７】
図１７は、携帯端末での画像ビューアの一覧表示の例を示す図である。
図１７において、１７０１はＩＭＧＡ０００１．ＣＲ２（図４の４０１）のサムネイル画像、１７０２はＩＭＧＡ０００２．ＣＲ２（図４の４０２）のサムネイル画像、１７０３はＩＭＧＣ０００１．ＣＲ２（図４の４０３）のサムネイル画像である。
１７０４はＩＭＧＢ０００１．ＣＲ２（図４の４０４）のサムネイル画像、１７０５はＩＭＧＢ０００２．ＣＲ２（図４の４０５）のサムネイル画像、１７０６はＩＭＧＡ０００３．ＣＲ２（図４の４０６）のサムネイル画像である。
１７０７はＩＭＧＡ０００４．ＣＲ２（図４の４０７）のサムネイル画像、１７０８はＩＭＧＣ０００２．ＣＲ２（図４の４０８）のサムネイル画像である。
【００７８】
各画像については、上記に示す（１）乃至（３）という状況がわかっているため、各サムネイルには、次に示すマークを重畳して、ユーザによる判別が可能な態様で表示される。
・サムネイル１７０６、１７０８には、元の画像ファイルはカメラ側で削除されたため、印刷指示を行うとサムネイル画像が使われることを示すマーク１７１４、１７１６が重畳される・・前述の（１）対応。
・サムネイル１７０１、１７０２、１７０３、１７０７には、印刷指示を行うと各カメラに保存されているＲＡＷファイルが使われることを示すマーク１７０９、１７１０、１７１１、１７１５が重畳される・・前述の（２）に対応。
・サムネイル１７０４、１７０５には、元のＲＡＷファイルはカメラ側に存在する可能性があるが、通信が不可能なため、印刷指示を行うとサムネイル画像が使われることを示すマーク１７１２、１７１３が重畳される・・前述の（３）に対応。
【００７９】
その後ユーザが、ファイルＩＭＧＡ０００１．ＣＲ２の画像を印刷するためにサムネイル１７０１をタッチした場合の動作は、第１の実施形態で説明した図７に示すシーケンスチャートの動作と同様である。
【００８０】
本実施形態の構成によれば、携帯端末側でデジタルカメラの画像の一覧を表示する際に、元画像の保存元を確認するとともに、その場で保存元の機器と通信が可能かの確認に加え、保存元から最新のファイルリストを取得するようにした。これにより、元画像の使用可否および画像の削除情報、および印刷に使われる画像ファイルを画像一覧に加えて表示するため、携帯端末側から画像の利用を行う際に、ユーザが印刷画質の把握がしやすくなる、という効果がある。
【００８１】
（その他の実施形態）
本発明は、以下の処理を実行することによっても実現される。即ち、前述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００８２】
２０１  液晶パネル
２０２  液晶ドライバ
２０３  作業メモリ（ＤＲＡＭ）
２０４  タッチパネル
２０５  タッチパネルドライバ
２０６  記録媒体
２０７  Ｗｉ−Ｆｉアンテナ
２０８  Ｗｉ−Ｆｉ送受信部
２０９  Ｂｌｕｅｔｏｏｔｈアンテナ
２１０  Ｂｌｕｅｔｏｏｔｈ送受信部
２１１  制御回路（ＣＰＵ）
２１２  操作回路
２１３  ＲＯＭ
【図１】
2017055366.tif 000003
【図２】
2017055366.tif 000004
【図３】
2017055366.tif 000005
【図５】
2017055366.tif 000006
【図７】
2017055366.tif 000007
【図８】
2017055366.tif 000008
【図９】
2017055366.tif 000009
【図１０】
2017055366.tif 000010
【図１１】
2017055366.tif 000011
【図１２】
2017055366.tif 000012
【図１４】
2017055366.tif 000013
【図１５】
2017055366.tif 000014
【図１６】
2017055366.tif 000015
【図４】
2017055366.tif 000016
【図６】
2017055366.tif 000017
【図１３】
2017055366.tif 000018
【図１７】
2017055366.tif 000019